(57)【要約】【課題】本考案は、相手方に渡すだけで営業活動等に必要な多量の情報を相手方に十分に伝達可能であり、名刺自体の厚さの膨らみを抑え、取り扱い性に優れた圧着型名刺を提供する。【解決手段】本考案に係る圧着型名刺１は、例えば氏名、会社名、住所、電話番号、ＦＡＸ番号、メールアドレス等の名刺事項情報が第１面２ａに記載され、且つ、名刺事項情報以外の各種情報が記載された第２乃至第６面２ｂ乃至２ｆがいわゆるＺ折りの状態で折り畳まれ、折り畳まれて対向する面同士が、ＵＶニスにより接着機能を発揮する圧着、糊付け、フィルム熱圧着のいずれかの態様で剥離可能に接着することにより構成したものである。【選択図】図１
0003103699.tif 000002
【実用新案登録請求の範囲】
【請求項１】
氏名、会社名、住所、電話番号、ＦＡＸ番号、メールアドレス等の名刺事項情報が記載され、且つ、名刺事項情報以外の各種情報が２以上の複数面に記載されて折り畳まれているとともに、折り畳まれて対向する面同士が剥離可能に接着されていることを特徴とする圧着型名刺。
【請求項２】
氏名、会社名、住所、電話番号、ＦＡＸ番号、メールアドレス等の名刺事項情報が記載され、且つ、名刺事項情報以外の各種情報が記載された２以上の複数面を有し、前記各面がＺ折り、巻折り、観音折りのいずれかの状態で折り畳まれているとともに、折り畳まれて対向する面同士が剥離可能に接着されていることを特徴とする圧着型名刺。
【請求項３】
氏名、会社名、住所、電話番号、ＦＡＸ番号、メールアドレス等の名刺事項情報が記載され、且つ、名刺事項情報以外の各種情報が記載された２以上の複数面が折り畳まれているとともに、折り畳まれて対向する面同士が、ＵＶニスにより接着機能を発揮する圧着、糊付け、フィルム熱圧着のいずれかの態様で剥離可能に接着されていることを特徴とする圧着型名刺。
【請求項４】
氏名、会社名、住所、電話番号、ＦＡＸ番号、メールアドレス等の名刺事項情報が記載され、且つ、名刺事項情報以外の各種情報が記載された２以上の複数面がＺ折り、巻折り、観音折りのいずれかの状態で折り畳まれているとともに、折り畳まれて対向する面同士が、ＵＶニスにより接着機能を発揮する圧着、糊付け、フィルム熱圧着のいずれかの態様で剥離可能に接着されていることを特徴とする圧着型名刺。
【考案の詳細な説明】
【技術分野】
【０００１】
本考案は、相手方に渡すだけで営業活動等に必要な多量の情報を相手方に十分に伝達可能であり、名刺自体の厚さの膨らみを抑え、取り扱い性に優れた斬新な圧着型名刺に関するものである。
【背景技術】
【０００２】
従来、企業の営業担当者が自社製品等の営業を行う場合、各種商談、技術事項の打ち合わせを行う場合等、企業活動のあらゆる分野で名刺が日常的に多用されている。
このような名刺の場合、例えば、一枚の名刺用紙の表面に当該営業担当者の氏名、会社名、住所電話番号等名刺事項情報を記載し、また、裏面には会社の本社、支社等の住所、電話番号、所在地の地図等を記載する程度のものが通常であり、限られた範囲の情報しか記載できないのが実情である。
上記各事項以外に、名刺所有者の顔写真、事業案内や製品広告用のパンフレット、カタログ等の記載事項までを網羅しようとすると、個々の事項の記載スペースが極小となってしまい、実用に耐えなくなってしまう。
【０００３】
また、営業担当者が飛び込み営業を行うような場合、営業担当者の氏名、会社名の他、営業内容、セールスキャンペーン、イベント情報等を相手方に効果的に伝達する事が要請される。
【０００４】
このような場合、従来型の名刺記載事項情報のみを記載した一枚構成の名刺を相手方に手渡したとしても、記載内容が乏しいことから相手方が興味に乏しいと判断し、直ぐに廃棄処分とされてしまい、営業活動の実効を上げることは難しく、また、紙資源の浪費を招いてしまう。
【０００５】
特許文献１には、帯状の用紙を一定の幅でジグザグに折り畳んで名刺サイズとし、折り畳んだ各面に名刺記載事項や名刺の本人プロファイルや広告等を記載し記載情報を多量とした名刺が開示されている。
【０００６】
しかし、この従来の名刺の場合、単に帯状の用紙を一定の幅でジグザグに折り畳んだ構成であるため、折り畳んだ状態での厚さが一枚構成の名刺に比べかなり厚くなり、また、膨らませないようにする現実的な手段もなかったため、名刺入れ等への収納が不便である等、取り扱い性の点で問題がある。
【特許文献１】登録実用新案第３０１９６３４号公報
【考案の開示】
【考案が解決しようとする課題】
【０００７】
解決しようとする問題点は、相手方に渡すだけで営業活動等に必要な多量の情報を相手方に十分に伝達可能であるとともに、名刺自体の厚さの膨らみを抑えることができる名刺が存在しない点である。
【課題を解決するための手段】
【０００８】
本考案の圧着型名刺は、氏名、会社名、住所、電話番号、ＦＡＸ番号、メールアドレス等の名刺事項情報が記載され、且つ、名刺事項情報以外の各種情報が２以上の複数面に記載されて折り畳まれているとともに、折り畳まれて対向する面同士が剥離可能に接着されていることを最も主要な特徴とする。
【考案の効果】
【０００９】
本考案によれば、氏名、会社名等の名刺事項情報が記載され、且つ、名刺事項情報以外の各種情報が２以上の複数面に記載されて折り畳まれ、折り畳まれて対向する面同士が剥離可能に接着しているので、相手方に渡すだけで営業活動等に必要な名刺事項情報を含む多量の情報を相手方に十分に伝達でき、且つ、折り畳まれて対向する面同士が剥離可能に接着されているので、単に前記各面を折り畳んだのみの構成に場合に比べ、名刺全体の厚さの膨らみを抑えることができ、この圧着型名刺の収納時の取り扱い性の向上を図ることができる。
【００１０】
この場合、前記圧着型名刺の折り畳み態様としては、例えば各面のいわゆるＺ折り、巻折り、観音折りのいずれかとすることができ、いずれの場合も名刺事項情報を含む多量の情報の相手方への伝達や、収納時の取り扱い性の向上を発揮させることができる。
また、折り畳まれて対向する面同士の剥離可能な接着は、ＵＶニスにより接着機能を発揮する圧着、糊付け、フィルム熱圧着のいずれかの態様で行われており、いずれの場合も名刺全体の厚さの膨らみを抑えることができる。
【考案を実施するための最良の形態】
【００１１】
名刺事項情報を含む多量の情報を相手方に十分に伝達可能であるとともに、名刺自体の厚さの膨らみを抑え取り扱い性の向上を図るという目的を、氏名、会社名、住所、電話番号、ＦＡＸ番号、メールアドレス等の名刺事項情報が記載され、且つ、名刺事項情報以外の各種情報が記載された２以上の複数面がいわゆるＺ折り、巻折り、観音折りのいずれかの状態で折り畳まれているとともに、折り畳まれて対向する面同士が、ＵＶニスにより接着機能を発揮する圧着、糊付け、フィルム熱圧着のいずれかの態様で剥離可能に接着することにより達成した。
【実施例】
【００１２】
以下、本考案の実施例を詳細に説明する。
図示する実施例では、各面が横折りで横状態に剥離し拡開し文字が横書きの名刺の例を説明しているが、本考案は、以下の実施例に限定されるものではなく、各面が縦折りで縦状態に剥離し拡開し文字が縦書きの名刺として構成しても良く、また、各面の折り数も２以上の複数面であれば良く、特に図示する実施例に限定されるものではない。
（実施例１）
図１乃至図４は、本考案の実施例１の圧着型名刺１を示すものである。
図１、図２に示す圧着型名刺１は、長方形状の紙材を名刺サイズに合わせて２箇所いわゆるＺ折りし、３葉連結型としたものである。すなわち、この圧着型名刺１は、通常の一枚構成の名刺に比べ、情報記載面が３倍の６面構造としている。
【００１３】
図３、図４は、各々前記圧着型名刺１を展開した状態を示すものであり、圧着型名刺１の第１面２ａには、図３に示すように、例えば営業担当者の氏名、会社名、所属部署、住所、電話番号、ＦＡＸ番号、メールアドレス等の名刺事項情報が記載されている。
第２面２ｂには、図３に示すように、例えば当該営業担当者が属する会社の本社、支社等の案内情報が記載されている。
第３面２ｃには、図３に示すように、例えば当該会社の事業内容情報が記載されている。
【００１４】
一方、前記圧着型名刺１の第４面２ｄ（第１面２ａの裏面）には、図４に示すように、例えば当該営業担当者の顔写真、趣味等、本人詳細情報が記載されている。
また、前記圧着型名刺１の第５面２ｅ（第２面２ｂの裏面）には、図４に示すように、例えば当該会社の新製品情報が記載されている。更に、前記圧着型名刺１の第６面２ｆ（第３面２ｃの裏面）には、図４に示すように、例えば当該会社の展示会出展情報（イベント情報）が記載されている。
なお、上述した第１面乃至第６面２ａ乃至２ｆへの各記載事項はあくまで一例であり、営業担当者等の本人の属する会社の業種、所属等により前記第１面乃至第６面２ａ乃至２ｆへの記載事項は種々の内容にわたることはもちろんである。  
【００１５】
前記圧着型名刺１の折り畳まれて対向する面、すなわち、第２面２ｂと第３面２ｃ、第４面２ｄと第５面２ｅは、各々ＵＶニスにより接着機能を発揮する圧着、透明性を有する糊による糊付け、透明性を有するフィルム熱圧着のいずれかの手段で互いに剥離可能に接着されている。
【００１６】
また、前記圧着型名刺１の第１面２ａ及び第４面の幅Ｗ１は、第２面２ｂ及び第５面２ｅの幅Ｗ２よりも例えば２乃至３ｍｍ程度少なく形成され、同様に第３面２ｃ及び第６面２ｆの幅Ｗ３は、第２面２ｂ及び第５面２ｅの幅Ｗ２よりも例えば２乃至３ｍｍ程度少なく形成されている。すなわち、幅Ｗ１＜幅Ｗ２、幅Ｗ３＜幅Ｗ２の関係としている。これにより、当該幅Ｗ１、幅Ｗ３の端部に指先又は爪を掛けて、圧着型名刺１の前記各面を剥離し易く拡開し易い構造にしている。
【００１７】
なお、図示するものではないが、前記圧着型名刺１の第１面２ａ（第４面２ｄ）の下隅部に、指先掛け用の小寸法の切除部を設け、また、第３面２ｃ（第６面２ｆ）の下隅部にも指先掛け（爪掛け）用の小寸法の切除部を設けるようにしても良い。
本実施例１の圧着型名刺１によれば、上述のような構成としたことにより、この圧着型名刺１が包含する情報量を通常の一枚構成の名刺に比べ、３倍とすることができる。
すなわち、この圧着型名刺１を相手方に渡すだけで、第１面２ａの営業担当者の名刺事項情報に加えて、会社の本社、支社等の案内情報、当該会社の事業内容情報、営業担当者の本人詳細情報、当該会社の新製品情報、当該会社の展示会出展情報（イベント情報）をパンフレット、カタログ等を使用することなく一挙に相手方に伝達することができ、併せて経費節減にも結び付く。
【００１８】
また、本実施例１の圧着型名刺１は、未展開時には図２に示す状態にあり、上述したような圧着型名刺１自体の幅寸法の関係（幅Ｗ１＜幅Ｗ２、幅Ｗ３＜幅Ｗ２）という前記各面を剥離し易く拡開し易い構造にしていることと相まって、圧着型名刺１を受け取った相手方に対して、人間心理として惹起する「開いて中を見たい」という本能を刺激することができ、これにより、再訪問の際に圧着型名刺１による話題の発展等の営業チャンスの演出、興味を示した客に対する詳細商談への誘導等を図り、営業活動の実効を上げる事が可能となる。
【００１９】
（実施例２）
図５乃至図８は、本考案の実施例２の圧着型名刺１１を示すものであり、図５、図６に示す圧着型名刺１１は、長方形状の紙材を名刺サイズに合わせて２箇所いわゆる巻折りし、３葉連結型としたものである。すなわち、この圧着型名刺１１は、通常の一枚構成の名刺に比べ、実施例１の場合と同様、情報記載面が３倍の６面構造としている。
【００２０】
図７、図８は、各々前記圧着型名刺１１を展開した状態を示すものであり、前記圧着型名刺１１の第１面１２ａには、図７に示すように、例えば営業担当者の氏名、会社名、所属部署、住所、電話番号、ＦＡＸ番号、メールアドレス等の名刺事項情報が記載されている。
第２面１２ｂには、図７に示すように、例えば当該営業担当者が属する会社の本社、支社等の案内情報が記載されている。
第３面１２ｃには、図７に示すように、例えば当該会社の事業内容情報が記載されている。
【００２１】
一方、前記圧着型名刺１１の第４面１２ｄ（第１面１２ａの裏面）には、図８に示すように、例えば当該営業担当者の顔写真、趣味等、本人詳細情報が記載されている。
また、前記圧着型名刺１１の第５面１２ｅ（第２面１２ｂの裏面）には、図８に示すように、例えば当該会社の新製品情報が記載されている。更に、前記圧着型名刺１１の第６面１２ｆ（第３面１２ｃの裏面）には、図８に示すように、例えば当該会社の展示会出展情報（イベント情報）が記載されている。
なお、上述した第１面乃至第６面１２ａ乃至１２ｆへの各記載事項はあくまで一例であり、営業担当者等の本人の属する会社の業種、所属等により前記第１面乃至第６面２ａ乃至２ｆへの記載事項は種々の内容にわたることは実施例１の場合と同様である。
【００２２】
前記圧着型名刺１１の折り畳まれて対向する面、すなわち、第５面１２ｅと第６面１２ｆ、第３面１２ｃと第４面１２ｄは、各々ＵＶニスにより接着機能を発揮する圧着、透明性を有する糊による糊付け、透明性を有するフィルム熱圧着のいずれかの手段で互いに剥離可能に接着されている。
【００２３】
また、前記圧着型名刺１１の第１面１２ａ（第４面１２ｄ）の幅Ｗ１、第３面１２ｃ（第６面１２ｆ）の幅Ｗ３は、各々第２面１２ｂ（第５面１２ｅ）の幅Ｗ２よりも例えば２乃至３ｍｍ程度少なく形成されている。すなわち、幅Ｗ１＜幅Ｗ２、幅Ｗ３＜幅Ｗ２の関係としている。これにより、当該幅Ｗ１、幅Ｗ３の端部に指先又は爪を掛けて、圧着型名刺１１の前記各面を剥離し易く拡開し易い構造にしている。
なお、図示するものではないが、前記圧着型名刺１１の第１面１２ａ（第４面１２ｄ）の下隅部に、指先掛け用の小寸法の切除部を設け、また、第３面１２ｃ（第６面１２ｆ）の下隅部にも指先掛け（爪掛け）用の小寸法の切除部を設けるようにしても良い。
【００２４】
このような本実施例２の圧着型名刺１１によれば、上述のような構成としたことにより、この圧着型名刺１１が包含する情報量を通常の一枚構成の名刺に比べ、３倍とすることができる。
すなわち、この圧着型名刺１１を相手方に渡すだけで、第１面２ａの営業担当者の名刺事項情報に加えて、会社の本社、支社等の案内情報、当該会社の事業内容情報、営業担当者の本人詳細情報、当該会社の新製品情報、当該会社の展示会出展情報（イベント情報）をパンフレット、カタログ等を使用することなく一挙に相手方に伝達することができ、併せて経費節減にも結び付き、実施例１の場合と同様の作用、効果を発揮させることができる。
【００２５】
また、本実施例２の圧着型名刺１１は、その未展開時には図６に示す状態にあり、上述したような圧着型名刺１１自体の幅寸法の関係（幅Ｗ１＜幅Ｗ２、幅Ｗ３＜幅Ｗ２）という前記各面を剥離し易く拡開し易い構造にしていることと相まって、圧着型名刺１１を受け取った相手方に対して、人間心理として惹起する「開いて中を見たい」という本能を刺激することができ、これにより、実施例１の場合と同様、相手方との話題の発展等のチャンスの演出、興味を示した客に対する詳細商談への誘導等を図り、営業活動の実効を上げる事が可能となる。
【００２６】
（実施例３）
図９乃至図１２は、本考案の実施例３の圧着型名刺２１を示すものであり、図９、図１０に示す圧着型名刺２１は、長方形状の紙材を名刺サイズに合わせて１箇所折り、いわゆる観音折りの２葉連結型としたものである。すなわち、この圧着型名刺２１は、通常の一枚構成の名刺に比べ、情報記載面が２倍の４面構造としている。
【００２７】
図１１、図１２は、各々前記圧着型名刺２１を展開した状態を示すものであり、前記圧着型名刺２１の第１面２２ａには、図１１に示すように、例えば営業担当者の氏名、会社名、所属部署、住所、電話番号、ＦＡＸ番号、メールアドレス等の名刺事項情報が記載されている。
第２面２２ｂには、図１１に示すように、例えば当該営業担当者が属する会社の本社、支社等の案内情報が記載されている。
第３面２２ｃ（第１面２２ａの裏面）には、図１２に示すように、例えば当該営業担当者の顔写真、趣味等、本人詳細情報が記載されている。当該会社の事業内容情報が記載されている。
前記圧着型名刺２１の第４面２２ｄ（第２面２２ｂの裏面）には、図８に示すように、例えば事業案内情報が記載されている。
なお、上述した第１面乃至第６面２２ａ乃至２２ｄへの各記載事項はあくまで一例であり、営業担当者等の本人の属する会社の業種、所属等により前記第１面乃至第４面２２ａ乃至２２ｄへの記載事項は種々の内容にわたることは実施例１の場合と同様であり、第２面２２ｂ、第４面２２ｄへ実施例１と同様な新製品情報、展示会情報その他各種の情報を記載する構成とすることももちろん可能である。
前記圧着型名刺２１の折り畳まれて対向する面、すなわち、第３面２２ｃと第４面２２ｄは、各々ＵＶニスにより接着機能を発揮する圧着、透明性を有する糊による糊付け、透明性を有するフィルム熱圧着のいずれかの手段で互いに剥離可能に接着されている。
【００２８】
また、前記圧着型名刺２１の第１面２２ａ（第３面２２ｃ）の幅Ｗ１、第２面１２ｂ（第４面２２ｄ）の幅Ｗ２は、開き易いように、実施例の１の場合と同様、第１面２２ａ幅Ｗ１＜幅Ｗ２の関係としている。これにより、当該幅Ｗ１、幅Ｗ３の端部に指先又は爪を掛けて、圧着型名刺２１の前記各面を剥離し易く拡開し易い構造にしている。
なお、図示するものではないが、前記圧着型名刺２１の第１面２２ａ（第３面２２ｃ）の下隅部には、指先掛け用の小寸法の切除部を設けるようにしても良い。
【００２９】
このような本実施例３の圧着型名刺２１によれば、上述のような構成としたことにより、この圧着型名刺２１が包含する情報量を通常の一枚構成の名刺に比べ、２倍とすることができ、この圧着型名刺２１を相手方に渡すだけで、実施例１、２の場合より情報量がやや少ないものの、同様な作用、効果を発揮させることが可能となる。
【００３０】
（実施例４）
図１３は、本考案の実施例４の圧着型名刺３１を示すものであり、この圧着型名刺３１は、長方形状の紙材を名刺サイズに合わせて３箇所折り、観音折りの第１葉４１ａ乃至第４葉４１ｄからなる４葉連結型としたものである。
すなわち、この圧着型名刺３１は、通常の一枚構成の名刺に比べ、４葉構成であることから情報記載面が、第１葉４１ａ乃至第４葉４１ｄに各々２面ずつ存在し、合計８面の多量のものとしている。
【００３１】
前記圧着型名刺３１の折り畳まれて対向する各葉の各面、すなわち、第１葉４１ａと第２葉４１ｂの対向面、第３葉４１ｃと第４葉４１ｄの対向面及び第１葉４１ａと第４葉４１ｄの対向面は、各々ＵＶニスにより接着機能を発揮する圧着、透明性を有する糊による糊付け、透明性を有するフィルム熱圧着のいずれかの手段で互いに剥離可能に接着され、これらを観音開きで展開可能としている。
なお、圧着型名刺３１の第１葉４１ａ、第４葉４１ｄの各下隅部に図示していないが実施例１と同様な切除部を設けるようにしても良い。
【００３２】
このような本実施例４の圧着型名刺３１によれば、上述のような構成としたことにより、この圧着型名刺３１が包含する情報量を通常の一枚構成の名刺に比べ、４倍とすることができ、この圧着型名刺３１を相手方に渡すだけで、実施例１、２の場合と比べ名刺記載事項を含むより多量の情報を相手方に伝達し、より効果的に営業活動の実効を上げる事が可能となる。
すなわち、営業担当者の名刺事項情報に加えて、会社の本社、支社等の案内情報、当該会社の事業内容情報、営業担当者の本人詳細情報、当該会社の新製品情報、当該会社の展示会出展情報（イベント情報）、更には、より多種類の会社関連情報を相手方に伝達し、営業活動をより効果的に遂行する事が可能となる。
【産業上の利用可能性】
【００３３】
本考案は、上述したような文字が横書きの名刺として構成する他、文字が縦書きの名刺として構成したり、外国文字等を記載した名刺として構成したり、更には通常の名刺サイズよりも大きい例えば葉書大の寸法としてアンケート葉書、商品注文葉書等の機能をも包含させるという応用も可能である。
【図面の簡単な説明】
【００３４】
【図１】本考案の実施例１の圧着型名刺の展開状態を示す斜視図である。
【図２】本実施例１の圧着型名刺の圧着状態を示す斜視図である。
【図３】本実施例１の圧着型名刺における第１面側の展開状態を示す平面図である。
【図４】本実施例１の圧着型名刺における第４面側の展開状態を示す平面図である。
【図５】本考案の実施例２の圧着型名刺の展開状態を示す斜視図である。
【図６】本実施例２の圧着型名刺の圧着状態を示す斜視図である。
【図７】本実施例２の圧着型名刺における第１面側の展開状態を示す平面図である。
【図８】本実施例２の圧着型名刺における第４面側の展開状態を示す平面図である。
【図９】本考案の実施例３の圧着型名刺の展開状態を示す斜視図である。
【図１０】本実施例３の圧着型名刺の圧着状態を示す斜視図である。
【図１１】本実施例３の圧着型名刺における第１面側の展開状態を示す平面図である。
【図１２】本実施例３の圧着型名刺における第３面側の展開状態を示す平面図である。
【図１３】本考案の実施例４の観音折りの圧着型名刺の展開状態を示す斜視図である。
【符号の説明】
【００３５】
１    圧着型名刺
２ａ  第１面
２ｂ  第２面
２ｃ  第３面
２ｄ  第４面
２ｅ  第５面
２ｆ  第６面
１１    圧着型名刺
１２ａ  第１面
１２ｂ  第２面
１２ｃ  第２面
１２ｃ  第３面
１２ｄ  第４面
１２ｅ  第５面
１２ｆ  第６面
２１    圧着型名刺
２２ａ  第１面
２２ｂ  第２面
２２ｃ  第３面
２２ｄ  第４面
３１    圧着型名刺
４１ａ  第１葉
４１ｂ  第２葉
４１ｃ  第３葉
４１ｄ  第４葉
【図１】
0003103699.tif 000003
【図２】
0003103699.tif 000004
【図３】
0003103699.tif 000005
【図４】
0003103699.tif 000006
【図５】
0003103699.tif 000007
【図６】
0003103699.tif 000008
【図７】
0003103699.tif 000009
【図８】
0003103699.tif 000010
【図９】
0003103699.tif 000011
【図１０】
0003103699.tif 000012
【図１１】
0003103699.tif 000013
【図１２】
0003103699.tif 000014
【図１３】
0003103699.tif 000015